(57)【要約】【課題】コンピュータがオフや休止状態にあるとき、またはコンピュータに設置されたUSB挿入口の数が足りないとき、USBで給電ができる、USB給電装置を備えた給電装置の提供。【解決手段】給電装置Ｂ、プラグＢ１、電源アダプタＢ２、電磁波除去装置Ｂ３、コードＢ４を含んで成り、そのうち、コードＢ４の片側にUSB給電装置Ｃが設置され、かつ前記USB給電装置ＣにUSB差込口Ｃ１が設けられ、USBプラグを差し込むことができ、また、前記USB差込口Ｃ１内に複数の接続端子Ｃ２が設置され、前記接続端子Ｃ２に電子製品が接続されて給電を行うことができ、コードＢ４に設置された前記USB給電装置Ｃにより、使用者は給電装置Ｂが導通されているとき同時にUSBを使用して給電を行うことができる。【選択図】図２
0003134164.tif 000002
【実用新案登録請求の範囲】
【請求項１】
給電装置、コード、電磁波除去装置、電源アダプタ、プラグを含んで成り、前記給電装置のコードの片側にUSB給電装置を設けたことを特徴とするUSB給電装置を備えた給電装置。
【請求項２】
前記USB給電装置が前記コード上に複数設置された請求項１に記載のUSB給電装置を備えた給電装置。
【請求項３】
前記USB給電装置が前記電源アダプタ上に設置された請求項１に記載のUSB給電装置を備えた給電装置。
【請求項４】
前記USB給電装置が前記電磁波除去装置上に設置された請求項１に記載のUSB給電装置を備えた給電装置。
【請求項５】
前記USB給電装置がさらに、ユニバーサル・シリアル・バス（USB、Universal Serial Bus）インターフェース、シリアルATAインターフェース（SATA、Serial Advanced Technology Attachment）挿入口及び高解像度マルチメディアインターフェース（HDMI、High-Definition Multimedia Interface）等接続に供するコネクタとして設けられた請求項１に記載のUSB給電装置を備えた給電装置。
【考案の詳細な説明】
【技術分野】
【０００１】
本考案はUSB給電装置を備えた給電装置に関し、特に、コンピュータの給電装置にUSB給電装置を設置したものであって、前記USB給電装置が給電装置に設置されたコードの片側に設置され、コンピュータが電源オフや休止状態にあるとき、およびコンピュータのUSB挿入口が不足しているときにUSBに給電することができる、USB給電装置を備えた給電装置に関する。
【背景技術】
【０００２】
図１に示すように、一般的な従来の給電装置はプラグＡ１、電源アダプタＡ２、電磁波除去装置Ａ３及びコードＡ４から構成され、前記給電装置ＡはUSB給電機能を備えておらず、USBで給電を行いたいときはコンピュータのUSB挿入口に頼らざるを得ず、コンピュータがオフや休止状態にあるとき、またコンピュータのUSB挿入口が不足し使用できないとき、USB給電の機能を提供することはできない。
【０００３】
このため、いかに上述の問題を排除するかが本考案の解決する技術的問題点である。
【考案の開示】
【考案が解決しようとする課題】
【０００４】
本考案の目的は、コンピュータがオフや休止状態にあるとき、またはコンピュータに設置されたUSB挿入口の数に限りがあり不足しているとき、USBを使用して給電することができる、USB給電装置を備えた給電装置を提供することにある。          
【課題を解決するための手段】
【０００５】
以下、本考案について図面、符号、実施例に基づき詳細に説明する。本考案のUSB給電装置を備えた給電装置は、図２に示すように、給電装置Ｂ、プラグＢ１、電源アダプタＢ２、電磁波除去装置Ｂ３、コードＢ４を含んで成り、そのうち、コードＢ４の片側にUSB給電装置Ｃが設置され、かつ前記USB給電装置ＣにUSB差込口Ｃ１が設けられ、USBプラグを差し込むことができ、また、前記USB差込口Ｃ１内に複数の接続端子Ｃ２が設置され、前記接続端子Ｃ２に電子製品が接続されて給電を行うことができ、コードＢ４に設置されたこのUSB給電装置Ｃにより、使用者は給電装置Ｂが導通されているとき同時にUSBを使用して給電を行うことができる。        
【考案の効果】
【０００６】
本考案の進歩性と実用性をよりはっきりと示すため、以下従来品と比較して分析する：
《従来品の欠点》
一、USB給電はUSB給電を行うことができるコンピュータを介さなければならず、直接電源裝置で給電することはできない。
二、コンピュータがオフや休止状態にあるとき、またはコンピュータに設置されたUSB挿入口の数に限りがあり不足しているとき、USBを使用して給電することができない。
三、第二点を受けて、利便性に欠ける。
《本考案の利点》
一、直接電源裝置に設けられたUSB給電装置を利用して給電を行うことができる。
二、コンピュータを起動する必要なくUSB給電を行うことができる。
三、第一点を受け、利便性を備えている。
四、第二点を受け、実用性を備えている。
五、空間利用性がある。
六、進歩性と実用性を備えている。
日、産業的競争力を向上できる。        
【実施例１】
【０００７】
本考案の実施方法により提供されるUSB給電装置を備えた給電装置は、図２から図７に示すように、前記USB給電装置ＣがコードＢ４の片側に設置され、電力を供給するコンセントにプラグＢ１を差し込んだ後、電源がコードＢ４を介して電源アダプタＢ２を通過し、かつ電磁波除去装置Ｂ３により電流がコードＢ４を通過するときに発生する電磁波を除去し、電流がコードＢ４上に設置されたUSB給電装置Ｃを通過するとき、前記USB給電装置Ｃに設置されたUSB差込口Ｃ１内の接続端子Ｃ２が接続された電子製品と導通を形成し、給電の機能を達成することができる。
【０００８】
また、前記給電装置ＢはプラグＢ１をコンセントに差し込んだ後、コンピュータＤに電力を供給することができ、且つ、前記コードＢ４に設置されたUSB給電装置ＣもデジタルカメラＥや携帯電話Ｆ、ＰＤＡＧ、ｉＰｏｄＨ等の電子製品にUSB給電を行うことができる。
【実施例２】
【０００９】
図８に示すように、前記給電装置Ｂは、USB給電装置ＣをコードＢ４に複数も受けることができ、複数のUSB差込口Ｃ１を給電に供することができる。
【実施例３】
【００１０】
図９と図１０に示すように、給電装置Ｂに設置されたUSB給電装置Ｃは、電磁波除去装置Ｂ３の一箇所に設置したり、或いは給電装置Ｂの電源アダプタＢ２の一箇所に設置したりすることもでき、これによりUSB給電を行うこともできる。
【００１１】
以上で述べた説明は本考案の最良の実施例に基づくものであり、本考案の特許範囲を制限するものではなく、本考案の明細書及び図面の内容を用いた同等効果を得る構造を直接または間接的にその他関連技術領域に運用したものはすべて、本考案の要旨の範囲内に含まれるものとみなす。
【００１２】
上述のように、本考案は先行技術を打破する構造の下、確実にその増進を図る効果を達成することができ、かつ、前記技術を熟知する者が容易に思いつくものではなく、さらに、本考案はその出願以前に公開されたことがなく、その進歩性と実用性は実用新案登録出願の要件を満たしているため、法に基づきここに実用新案登録を出願するものである。
【図面の簡単な説明】
【００１３】
【図１】従来品の立体図である。
【図２】本考案の立体図である。
【図３】本考案の使用例１の立体図である。
【図４】本考案の使用例２の立体図である。
【図５】本考案の使用例３の立体図である。
【図６】本考案の使用例４の立体図である。
【図７】本考案の使用例５の立体図である。
【図８】本考案の実施例２の立体図である。
【図９】本考案の実施例３の立体図である。
【図１０】本考案の実施例４の立体図である。
【符号の説明】
【００１４】
Ａ、Ｂ    給電装置
Ａ１、Ｂ１    プラグ
Ａ４、Ｂ４    コード
Ａ２、Ｂ２    電源アダプタ
Ａ３、Ｂ３    電磁波除去装置
Ｃ        USB給電装置
Ｃ１      USB差込口
Ｃ２      接続端子
Ｄ        コンピュータ
Ｅ        デジタルカメラ
Ｆ        携帯電話
Ｇ        ＰＤＡ
Ｈ        ｉＰｏｄ
【図１】
0003134164.tif 000003
【図２】
0003134164.tif 000004
【図３】
0003134164.tif 000005
【図４】
0003134164.tif 000006
【図５】
0003134164.tif 000007
【図６】
0003134164.tif 000008
【図７】
0003134164.tif 000009
【図８】
0003134164.tif 000010
【図９】
0003134164.tif 000011
【図１０】
0003134164.tif 000012
【手続補正書】
【提出日】平成19年6月1日(2007.6.1)
【手続補正１】
【補正対象書類名】実用新案登録請求の範囲
【補正対象項目名】請求項５
【補正方法】変更
【補正の内容】
【請求項５】
前記USB給電装置がさらに、ユニバーサル・シリアル・バス（USB、Universal Serial Bus）インターフェース、シリアルATAインターフェース（SATA、Serial Advanced Technology Attachment）挿入口及び高解像度マルチメディアインターフェース（HDMI、High-Definition Multimedia Interface（登録商標））等接続に供するコネクタとして設けられた請求項１に記載のUSB給電装置を備えた給電装置。
【手続補正２】
【補正対象書類名】明細書
【補正対象項目名】０００８
【補正方法】変更
【補正の内容】
【０００８】
また、前記給電装置ＢはプラグＢ１をコンセントに差し込んだ後、コンピュータＤに電力を供給することができ、且つ、前記コードＢ４に設置されたUSB給電装置ＣもデジタルカメラＥや携帯電話Ｆ、ＰＤＡＧ、ｉＰｏｄ（登録商標）Ｈ等の電子製品にUSB給電を行うことができる。
【手続補正３】
【補正対象書類名】明細書
【補正対象項目名】００１４
【補正方法】変更
【補正の内容】
【００１４】
Ａ、Ｂ    給電装置
Ａ１、Ｂ１    プラグ
Ａ４、Ｂ４    コード
Ａ２、Ｂ２    電源アダプタ
Ａ３、Ｂ３    電磁波除去装置
Ｃ        USB給電装置
Ｃ１      USB差込口
Ｃ２      接続端子
Ｄ        コンピュータ
Ｅ        デジタルカメラ
Ｆ        携帯電話
Ｇ        ＰＤＡ
Ｈ        ｉＰｏｄ（登録商標）